(57)【特許請求の範囲】
【請求項１】
ユーザ機器が現在位置している第１のネットワークを用いてエア・インタフェースのオフローディングを行うことができる第２のネットワークのアクセス・ポイントの識別子を伝える第１のメッセージを、前記ユーザ機器によって受信するステップと、
前記第１のメッセージが複数の第２のネットワークのアクセス・ポイントの識別子を伝えるとき、第１の補助情報に従って前記複数の第２のネットワークのアクセス・ポイントから１つの第２のネットワークのアクセス・ポイントを、前記ユーザ機器によって選択して、前記選択した第２のネットワークのアクセス・ポイントにアクセスするステップとを含み、
前記第１のメッセージによって伝えられる前記複数の第２のネットワークのアクセス・ポイントの前記識別子が、各第２のネットワークのアクセス・ポイントの第２の補助情報に従ってネットワーク側装置によって行われるスクリーニングにより取得され、前記第２の補助情報が、各第２のネットワークのアクセス・ポイントの位置情報および各第２のネットワークのアクセス・ポイントの負荷情報を含み、
前記１つの第２のネットワークのアクセス・ポイントの前記識別子が、前記複数の第２のネットワークのアクセス・ポイントで前記ネットワーク側装置によって行われるスクリーニングにより取得されるとき、１つの第２のネットワークのアクセス・ポイントが、前記ユーザ機器の位置情報および／または前記複数の第２のネットワークのアクセス・ポイントの信号品質情報に従って、前記複数の第２のネットワークのアクセス・ポイントから前記ユーザ機器のために前記ネットワーク側装置によって選択される、アクセス方法。
【請求項２】
前記第１の補助情報に従って前記複数の第２のネットワークのアクセス・ポイントから１つの第２のネットワークのアクセス・ポイントを、前記ユーザ機器によって選択して、前記選択した第２のネットワークのアクセス・ポイントにアクセスする前記ステップが、
前記ユーザ機器の位置情報および／または各第２のネットワークのアクセス・ポイントの信号品質情報に従って、前記複数の第２のネットワークのアクセス・ポイントから１つの第２のネットワークのアクセス・ポイントを、前記ユーザ機器によって選択して、前記選択した第２のネットワークのアクセス・ポイントにアクセスするステップを含む、請求項１に記載の方法。
【請求項３】
前記第１のメッセージが、各第２のネットワークのアクセス・ポイントの位置情報および／または各第２のネットワークのアクセス・ポイントの負荷情報をさらに伝えるとき、
前記第１のメッセージが前記複数の第２のネットワークのアクセス・ポイントの前記識別子を伝えるとき、前記第１の補助情報に従って前記複数の第２のネットワークのアクセス・ポイントから１つの第２のネットワークのアクセス・ポイントを、前記ユーザ機器によって選択して、前記選択した第２のネットワークのアクセス・ポイントにアクセスする前記ステップが、
各第２のネットワークのアクセス・ポイントの前記位置情報および／または各第２のネットワークのアクセス・ポイントの前記負荷情報、ならびに前記ユーザ機器の位置情報および／または各第２のネットワークのアクセス・ポイントの信号品質情報に従って、前記複数の第２のネットワークのアクセス・ポイントから１つの第２のネットワークのアクセス・ポイントを、前記ユーザ機器によって選択して、前記選択した第２のネットワークのアクセス・ポイントにアクセスするステップを含む、請求項１に記載の方法。
【請求項４】
前記第１のネットワークが３ＧＰＰ移動通信網であり、前記第２のネットワークが非３ＧＰＰ移動通信網であり、または
前記第１のネットワークが非３ＧＰＰ移動通信網であり、第２のネットワークが近距離無線通信網であり、または
前記第１のネットワークが３ＧＰＰ移動通信網であり、第２のネットワークが近距離無線通信網であり、
前記３ＧＰＰ移動通信網が、グローバル移動通信ＧＳＭ（登録商標）、広帯域符号分割多元接続ＷＣＤＭＡ（登録商標）、時分割同期符号分割多元接続ＴＤ−ＳＣＤＭＡ、またはロング・ターム・エボリューションＬＴＥ網を含み、前記非３ＧＰＰ移動通信網が、マイクロ波アクセスの世界規模相互運用ＷＩＭＡＸまたは符号分割多元接続ＣＤＭＡ２０００を含み、前記近距離無線通信網が、無線ローカル・エリア・ネットワークＷＬＡＮ、赤外線、Ｂｌｕｅｔｏｏｔｈ（登録商標）、またはＺｉｇｂｅｅ（登録商標）を含む、請求項１から３のいずれか一項に記載の方法。
【請求項５】
前記第１のネットワークを用いて前記エア・インタフェースのオフローディングを行うために使用される前記複数の第２のネットワークのアクセス・ポイントが、事前に前記ネットワーク側装置に登録される必要がある、請求項１から４のいずれか一項に記載の方法。
【請求項６】
ネットワーク側装置によって、第２のネットワークのアクセス・ポイントの識別子を取得するステップであって、前記第２のネットワークのアクセス・ポイントの前記識別子に対応する第２のネットワークのアクセス・ポイントが、ユーザ機器が現在位置している第１のネットワーク上でエア・インタフェースのオフローディングを行うことができるステップと、
前記ネットワーク側装置によって、前記第２のネットワークのアクセス・ポイントの前記取得した識別子に従って、前記第２のネットワークのアクセス・ポイントの前記識別子を伝える第１のメッセージを生成するステップと、
前記第１のメッセージが複数の第２のネットワークのアクセス・ポイントの識別子を伝えるとき、前記ユーザ機器が、第１の補助情報に従って前記複数の第２のネットワークのアクセス・ポイントの前記識別子から１つの第２のネットワークのアクセス・ポイントの識別子を選択し、前記選択した第２のネットワークのアクセス・ポイントにアクセスするために、前記ネットワーク側装置によって、前記第１のメッセージを前記ユーザ機器に送信するステップとを含み、
前記第１のメッセージが、複数の第２のネットワークのアクセス・ポイントの識別子を伝えるとき、
前記ネットワーク側装置によって、前記第２のネットワークのアクセス・ポイントの前記取得した識別子に従って、第１のメッセージを生成する前記ステップが、
前記ネットワーク側装置によって、各第２のネットワークのアクセス・ポイントの位置情報および各第２のネットワークのアクセス・ポイントの負荷情報に従って、取得した第２のネットワークのアクセス・ポイントをスクリーニングし、前記複数の第２のネットワークのアクセス・ポイントの前記識別子を伝える第１のメッセージを生成するステップを含み、
前記１つの第２のネットワークのアクセス・ポイントの前記識別子が、前記複数の第２のネットワークのアクセス・ポイントで前記ネットワーク側装置によって行われるスクリーニングにより取得されるとき、
前記ネットワーク側装置が、前記ユーザ機器から受信された前記ユーザ機器の位置情報および／または前記複数の第２のネットワークのアクセス・ポイントの信号品質情報に従って、前記複数の第２のネットワークのアクセス・ポイントから前記ユーザ機器のために１つの第２のネットワークのアクセス・ポイントを選択するステップをさらに含む、アクセス方法。
【請求項７】
前記第１のネットワークが３ＧＰＰ移動通信網であり、前記第２のネットワークが非３ＧＰＰ移動通信網であり、または
前記第１のネットワークが非３ＧＰＰ移動通信網であり、第２のネットワークが近距離無線通信網であり、または
前記第１のネットワークが３ＧＰＰ移動通信網であり、第２のネットワークが近距離無線通信網であり、
前記３ＧＰＰ移動通信網が、グローバル移動通信ＧＳＭ（登録商標）、広帯域符号分割多元接続ＷＣＤＭＡ（登録商標）、時分割同期符号分割多元接続ＴＤ−ＳＣＤＭＡ、またはロング・ターム・エボリューションＬＴＥ網を含み、前記非３ＧＰＰ移動通信網が、マイクロ波アクセスの世界規模相互運用ＷＩＭＡＸまたは符号分割多元接続ＣＤＭＡ２０００を含み、前記近距離無線通信網が、無線ローカル・エリア・ネットワークＷＬＡＮ、赤外線、Ｂｌｕｅｔｏｏｔｈ（登録商標）、またはＺｉｇｂｅｅ（登録商標）を含む、請求項６に記載の方法。
【請求項８】
前記第１のネットワークを用いて前記エア・インタフェースのオフローディングを行うために使用される前記複数の第２のネットワークのアクセス・ポイントが、事前に前記ネットワーク側装置に登録される必要がある、請求項６または７に記載の方法。
【請求項９】
第２のネットワークのアクセス・ポイントの識別子を伝える第１のメッセージを受信するように構成された受信モジュールであって、前記第２のネットワークのアクセス・ポイントが、ユーザ機器が現在位置している第１のネットワーク上でエア・インタフェースのオフローディングを行うことができる、受信モジュールと、
前記第１のメッセージが複数の第２のネットワークのアクセス・ポイントの識別子を伝えるとき、第１の補助情報に従って前記複数の第２のネットワークのアクセス・ポイントから１つの第２のネットワークのアクセス・ポイントを選択し、前記選択した第２のネットワークのアクセス・ポイントにアクセスするように構成された、アクセス・モジュールとを含み、
前記第１のメッセージによって伝えられる前記複数の第２のネットワークのアクセス・ポイントの前記識別子が、各第２のネットワークのアクセス・ポイントの第２の補助情報に従ってネットワーク側装置によって行われるスクリーニングにより取得され、前記第２の補助情報が、各第２のネットワークのアクセス・ポイントの位置情報および各第２のネットワークのアクセス・ポイントの負荷情報を含み、
前記１つの第２のネットワークのアクセス・ポイントの前記識別子が、前記複数の第２のネットワークのアクセス・ポイントで前記ネットワーク側装置によって行われるスクリーニングにより取得されるとき、１つの第２のネットワークのアクセス・ポイントが、前記ユーザ機器の位置情報および／または前記複数の第２のネットワークのアクセス・ポイントの信号品質情報に従って、前記複数の第２のネットワークのアクセス・ポイントから前記ユーザ機器のために前記ネットワーク側装置によって選択される、ユーザ機器。
【請求項１０】
前記アクセス・モジュールが、前記ユーザ機器の位置情報および／または各第２のネットワークのアクセス・ポイントの信号品質情報に従って、前記複数の第２のネットワークのアクセス・ポイントから１つの第２のネットワークのアクセス・ポイントを選択し、前記選択した第２のネットワークのアクセス・ポイントにアクセスするように構成された、請求項９に記載のユーザ機器。
【請求項１１】
前記第１のネットワークを用いて前記エア・インタフェースのオフローディングを行うために使用される前記複数の第２のネットワークのアクセス・ポイントが、事前に前記ネットワーク側装置に登録される必要がある、請求項９または１０に記載のユーザ機器。
【請求項１２】
第２のネットワークのアクセス・ポイントの識別子を取得するように構成された取得モジュールであって、前記第２のネットワークのアクセス・ポイントの前記識別子に対応する第２のネットワークのアクセス・ポイントが、ユーザ機器が現在位置している第１のネットワーク上でエア・インタフェースのオフローディングを行うことができる、取得モジュールと、
前記第２のネットワークのアクセス・ポイントの前記取得した識別子に従って、前記第２のネットワークのアクセス・ポイントの前記識別子を伝える第１のメッセージを生成するように構成された、生成モジュールと、
前記第１のメッセージが複数の第２のネットワークのアクセス・ポイントの識別子を伝えるとき、前記ユーザ機器が、第１の補助情報に従って前記複数の第２のネットワークのアクセス・ポイントの前記識別子から１つの第２のネットワークのアクセス・ポイントの識別子を選択し、前記選択した第２のネットワークのアクセス・ポイントにアクセスするために、前記第１のメッセージを前記ユーザ機器に送信するように構成された、送信モジュールとを含み、
前記ユーザ機器によって送信され、前記ユーザ機器の位置情報および／または各第２のネットワークのアクセス・ポイントの信号品質情報を伝える第２のメッセージを受信するように構成された、受信モジュールを含み、
前記生成モジュールが、前記第１のメッセージが前記１つの第２のネットワークのアクセス・ポイントの１つの識別子を含むとき、前記ユーザ機器の前記位置情報および／または各第２のネットワークのアクセス・ポイントの前記信号品質情報、ならびに各第２のネットワークのアクセス・ポイントの位置情報および／または各第２のネットワークのアクセス・ポイントの負荷情報に従って、前記複数の第２のネットワークのアクセス・ポイントをスクリーニングし、前記１つの第２のネットワークのアクセス・ポイントの前記１つの識別子を伝える前記第１のメッセージを生成するように構成された、ネットワーク側装置。
【請求項１３】
前記受信モジュールが、前記第２のネットワークのアクセス・ポイントの前記識別子を含む、前記第２のネットワークのアクセス・ポイントによって送信された登録情報を受信するようにさらに構成された、請求項１２に記載のネットワーク側装置。
【請求項１４】
前記第１のネットワークが３ＧＰＰ移動通信網であり、第２のネットワークが非３ＧＰＰ移動通信網であり、または
前記第１のネットワークが非３ＧＰＰ移動通信網であり、第２のネットワークが近距離無線通信網であり、または
前記第１のネットワークが３ＧＰＰ移動通信網であり、第２のネットワークが近距離無線通信網であり、
前記第１のネットワークが３ＧＰＰ移動通信網である、または前記第１のネットワークが非３ＧＰＰ移動通信網であるとき、前記ネットワーク側装置が、前記３ＧＰＰ移動通信網または前記非３ＧＰＰ移動通信網の無線アクセス網ＲＡＮ側のネットワーク装置である、またはコア・ネットワーク側に配置されたネットワーク装置である、またはパケット・データ網側に配置されたネットワーク装置である、請求項１２または１３に記載のネットワーク側装置。
【請求項１５】
前記第１のネットワークを用いて前記エア・インタフェースのオフローディングを行うために使用される前記複数の第２のネットワークのアクセス・ポイントが、事前に前記ネットワーク側装置に登録される必要がある、請求項１２から１４のいずれか一項に記載のネットワーク側装置。
【請求項１６】
ネットワーク側装置と、ユーザ機器とを含む無線通信システムであって、前記ネットワーク側装置と前記ユーザ機器とが、エア・インタフェース上で双方向に互いに結合され、前記ネットワーク側装置が、請求項１２から１５のいずれか一項に記載の装置である、無線通信システム。
【請求項１７】
ネットワーク側装置を含む無線通信システムであって、前記ネットワーク側装置が、エア・インタフェース上で双方向にユーザ機器と結合され、前記ネットワーク側装置が、請求項１２から１５のいずれか一項に記載の装置である、無線通信システム。
【請求項１８】
コンピュータ・ユニットにより実行された場合、前記コンピュータ・ユニットに対して、請求項１から５のいずれか一項に記載のステップ又は請求項６から８のいずれか一項に記載のステップを実行させるコンピュータ・プログラム・コードを含むコンピュータ・プログラム。
【発明の詳細な説明】
【技術分野】
【０００１】
本出願は、全体として参照により本明細書に組み込まれている、２０１１年１２月８日に出願された、「ＡＣＣＥＳＳ  ＭＥＴＨＯＤ  ＡＮＤ  ＳＹＳＴＥＭ，ＵＳＥＲ  ＥＱＵＩＰＭＥＮＴ，ＡＮＤ  ＮＥＴＷＯＲＫ  ＳＩＤＥ  ＤＥＶＩＣＥ」という名称の中国特許出願第２０１１１０４０６２７０．９号に基づく優先権を主張する。
【０００２】
本発明は、通信技術の分野に関し、詳細には、アクセス方法およびシステム、ユーザ機器、ならびにネットワーク側装置に関する。
【背景技術】
【０００３】
通信市場が発達し、ユーザ数が増え、データ・サービスが向上するにつれて、次第にエア・インタフェース資源が通信サービスの開発に対する障害となっている。あるモードのネットワークを使用して、別のモードのネットワーク上でエア・インタフェースのオフローディングを行うことができる場合、エア・インタフェースのスループット・レートを大幅に高めることができるだけでなく、ネットワークの構築費用も削減することができ、それと同時に、ユーザ・エクスペリエンスを効果的に向上させることができる。
【０００４】
例えば、従来の技術では、第三世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ：以下３ＧＰＰと呼ぶ）通信システムでオフローディングを行うために、無線ローカル・エリア・ネットワーク（Ｗｉｒｅｌｅｓｓ  Ｌｏｃａｌ  Ａｒｅａ  Ｎｅｔｗｏｒｋ、以下ＷＬＡＮと呼ぶ）が採用される技術が存在し、同じ物理エリアが３ＧＰＰとＷＬＡＮの両方でカバーされているとき、データ・ストリームの一部は３ＧＰＰ通信システムで送信され、データ・ストリームの別の部分はＷＬＡＮで送信され、それにより３ＧＰＰ移動通信網のデータ・ストリームでＷＬＡＮによって行われるオフローディングを実行するために使用される。この技術では、オフロード制御サーバ（Ｏｆｆｌｏａｄ  Ｃｏｎｔｒｏｌ  Ｓｅｒｖｅｒ）が配置され、ユーザ機器（Ｕｓｅｒ  Ｅｑｕｉｐｍｅｎｔ：以下ＵＥと呼ぶ）が無線アクセス網（Ｒａｄｉｏ  Ａｃｃｅｓｓ  Ｎｅｔｗｏｒｋ、以下ＲＡＮと呼ぶ）において無線リソース制御（Ｒａｄｉｏ  Ｒｅｓｏｕｒｃｅ  Ｃｏｎｔｒｏｌ：以下ＲＲＣと呼ぶ）接続を確立した後、オフロード制御サーバが、ＵＥにＷＬＡＮオフローディングを行うよう命令し、この命令は、ＷＬＡＮ中で使用されるアクセス・ポイント（Ａｃｃｅｓｓ  Ｐｏｉｎｔ：以下ＡＰと呼ぶ）に対応する拡張サービス・セット識別子（Ｅｘｔｅｎｄｅｄ  Ｓｅｒｖｉｃｅ  Ｓｅｔ  Ｉｄｅｎｔｉｆｉｅｒ：以下ＥＳＳＩＤと呼ぶ）を伝える。ＵＥは、対応するＡＰを取得するために、受信されるＷＬＡＮオフローディング命令中のＥＳＳＩＤに従ってＷＬＡＮ中のセルを検索する。しかしながら、複数のセルが１つのＥＳＳＩＤを採用することができるので、ＷＬＡＮのＡＰにおけるＥＳＳＩＤがセルを一意に識別することができず、異なるセルが、同じ１つのＥＳＳＩＤで名前を付けられることがある。したがってＵＥは、ＥＳＳＩＤに従って誤ったＷＬＡＮのＡＰにアクセスする可能性があり、そのためＵＥは、正しいＷＬＡＮのＡＰにアクセスするまで再びアクセスを行う必要がある。
【発明の概要】
【発明が解決しようとする課題】
【０００５】
本発明を実施する過程において、従来技術には少なくとも次の問題があることがわかっている。先に述べた既存のＷＬＡＮのオフロード技術が採用されるとき、ＵＥが正しいＷＬＡＮのＡＰにアクセスする工程において、アクセス遅延が長すぎ、アクセス効率が比較的低い。
【０００６】
本発明の実施形態は、ＵＥが既存のＷＬＡＮオフロード技術で正しいＷＬＡＮのＡＰにアクセスするという工程において、アクセス遅延が長すぎ、アクセス効率が比較的低いという、従来の技術における欠陥を解決するために、アクセス方法およびシステム、ユーザ機器、ならびにネットワーク側装置を提供し、それにより効果的なアクセスを提供する。
【課題を解決するための手段】
【０００７】
本発明の一実施形態は、アクセス方法を提供し、このアクセス方法は、
ユーザ機器が現在位置している第１のネットワークを用いてエア・インタフェースのオフローディングを行うことができる第２のネットワークのアクセス・ポイントの識別子を伝える第１のメッセージを、ユーザ機器によって受信するステップと、
第１のメッセージが複数の第２のネットワークのアクセス・ポイントの識別子を伝えるとき、第１の補助情報に従って複数の第２のネットワークのアクセス・ポイントから１つの第２のネットワークのアクセス・ポイントを、ユーザ機器によって選択し、選択した第２のネットワークのアクセス・ポイントにアクセスするステップと
を含む。
【０００８】
本発明の一実施形態はさらに、アクセス方法を提供し、このアクセス方法は、
ネットワーク側装置によって、第２のネットワーク・アクセス・ポイントの識別子を取得するステップであって、第２のネットワーク・アクセス・ポイントの識別子に対応する第２のネットワーク・アクセス・ポイントが、ユーザ機器が現在位置している第１のネットワーク上でエア・インタフェースのオフローディングを行うことができるステップと、
ネットワーク側装置によって、第２のネットワークのアクセス・ポイントの取得した識別子に従って、第２のネットワークのアクセス・ポイントの識別子を伝える第１のメッセージを生成するステップと、
第１のメッセージが複数の第２のネットワークのアクセス・ポイントの識別子を伝えるとき、ユーザ機器が、第１の補助情報に従って複数の第２のネットワークのアクセス・ポイントの識別子から１つの第２のネットワークのアクセス・ポイントの識別子を選択し、選択した第２のネットワークのアクセス・ポイントにアクセスするために、ネットワーク側装置によって、第１のメッセージをユーザ機器に送信するステップと
を含む。
【０００９】
本発明の一実施形態は、ユーザ機器を提供し、このユーザ機器は、
ユーザ機器が現在位置している第１のネットワーク上でエア・インタフェースのオフローディングを行うことができる第２のネットワークのアクセス・ポイントの識別子を伝える第１のメッセージを受信するように構成された、受信モジュールと、
第１のメッセージが複数の第２のネットワークのアクセス・ポイントの識別子を伝えるとき、第１の補助情報に従って複数の第２のネットワークのアクセス・ポイントから１つの第２のネットワークのアクセス・ポイントを選択し、選択した第２のネットワークのアクセス・ポイントにアクセスするように構成された、アクセス・モジュールと
を含む。
【００１０】
本発明の一実施形態はさらに、ネットワーク側装置を提供し、このネットワーク側装置は、
第２のネットワークのアクセス・ポイントの識別子を取得するように構成された、取得モジュールであって、第２のネットワークのアクセス・ポイントの識別子に対応する第２のネットワークのアクセス・ポイントが、ユーザ機器が現在位置している第１のネットワーク上でエア・インタフェースのオフローディングを行うことができる、取得モジュールと、
第２のネットワークのアクセス・ポイントの取得した識別子に従って、第２のネットワークのアクセス・ポイントの識別子を伝える第１のメッセージを生成するように構成された、生成モジュールと、
第１のメッセージが複数の第２のネットワークのアクセス・ポイントの識別子を伝えるとき、ユーザ機器が、第１の補助情報に従って複数の第２のネットワークのアクセス・ポイントの識別子から１つの第２のネットワークのアクセス・ポイントの識別子を選択し、選択した第２のネットワークのアクセス・ポイントにアクセスするために、第１のメッセージをユーザ機器に送信するように構成された、送信モジュールと
を含む。
【００１１】
本発明の一実施形態は、アクセス・システムをさらに提供し、このアクセス・システムは、前述のユーザ機器と、前述のネットワーク側装置とを含む。
【００１２】
本発明の実施形態によるアクセス方法およびシステム、ユーザ機器、ならびにネットワーク側装置を用いて、ユーザ機器がアクセスする最適な第２のネットワークのアクセス・ポイントが補助情報により選択される。したがって、アクセス遅延を効果的に短縮することができ、アクセス効率を向上させ、それによってオフローディングを効果的に実行することができる。
【００１３】
本発明の諸実施形態または先行技術の技術的解決法をより明確に説明するために、諸実施形態または先行技術の説明に必要である添付の図面について以下に概説する。明らかに、以下の説明中の添付の図面は、本発明の単にいくつかの実施形態を示しており、当業者は創造的な努力なしにこれらの添付の図面から他の図面をさらに導き出すことができる。
【図面の簡単な説明】
【００１４】
【図１】本発明の一実施形態で提供されるアクセス方法のフローチャートである。
【００１５】
【図２】本発明の別の実施形態で提供されるアクセス方法のフローチャートである。
【００１６】
【図３】本発明の一実施形態で提供されるアクセス方法のシグナリング図である。
【００１７】
【図４】本発明の別の実施形態で提供されるアクセス方法のシグナリング図である。
【００１８】
【図５】本発明のさらに別の実施形態で提供されるアクセス方法のシグナリング図である。
【００１９】
【図６】本発明のさらに別の実施形態で提供されるアクセス方法のシグナリング図である。
【００２０】
【図７】本発明の一実施形態で提供されるＵＥの概略構造図である。
【００２１】
【図８】本発明の一実施形態で提供されるネットワーク側装置の概略構造図である。
【００２２】
【図９】本発明の一実施形態で提供されるアクセス・システムの概略構造図である。
【発明を実施するための形態】
【００２３】
本発明の諸実施形態の目的、技術的解決法、および利点をよりわかりやすくするために、以下に、本発明の諸実施形態における添付の図面を参照して、本発明の諸実施形態における技術的解決法を明確に、かつ完全に説明する。当然ながら、記載する諸実施形態は、本発明の諸実施形態の全部ではなく一部にすぎない。創造的な努力なしに本発明の諸実施形態に基づいて当業者によって取得される他のすべての諸実施形態は、本発明の保護範囲内に含まれるものとする。
【００２４】
図１は、本発明の一実施形態で提供されるアクセス方法のフローチャートである。図１に示すように、この実施形態で提供されるアクセス方法は、特に次のステップを含むことができる。
【００２５】
１００：ＵＥが、第２のネットワークのアクセス・ポイントの識別子を伝える第１のメッセージを受信する。
【００２６】
この実施形態では、この第２のネットワークのアクセス・ポイントの識別子の第２のネットワークのアクセス・ポイントは、ＵＥが現在位置している第１のネットワーク上でエア・インタフェースのオフローディングを行うことができる。第２のネットワークおよび第１のネットワークは、異なる規格の通信ネットワークであり、第２のネットワークは、第１のネットワーク上でエア・インタフェースのオフローディングを行ってもよいと理解することができる。さらに、様々な第２のネットワークが共通のカバレッジを有する状況において、第２のネットワークは、異なる規格の複数のネットワークでもよい。任意選択で、この実施形態の第２のネットワークのアクセス・ポイントの識別子は、第２のネットワークのアクセス・ポイントを一意に識別することができる。
【００２７】
１０１：第１のメッセージが複数の第２のネットワークのアクセス・ポイントの識別子を伝えるとき、ＵＥは、第１の補助情報に従って複数の第２のネットワークのアクセス・ポイントから１つの第２のネットワークのアクセス・ポイントを選択し、選択した第２のネットワークのアクセス・ポイントにアクセスする。
【００２８】
この実施形態によるアクセス方法を用いて、ＵＥが、第２のネットワークのアクセス・ポイントの識別子を伝える第１のメッセージを受信し、第１のメッセージが複数の第２のネットワークのアクセス・ポイントの識別子を伝えるとき、ＵＥは、第１の補助情報に従って複数の第２のネットワークのアクセス・ポイントから１つの第２のネットワークのアクセス・ポイントを選択し、対応する第２のネットワークのアクセス・ポイントにアクセスする。
【００２９】
任意選択で、この実施形態においてステップ１０１により「第１のメッセージが複数の第２のネットワークのアクセス・ポイントの識別子を伝えるとき」、ステップ１００で受信された第１のメッセージは、１つの第２のネットワークのアクセス・ポイントの識別子を伝えてもよく、複数の第２のネットワークのアクセス・ポイントの識別子を伝えてもよいと理解することができる。第１のメッセージが複数の第２のネットワークのアクセス・ポイントの識別子を伝えるとき、ステップ１００「ＵＥが第２のネットワークのアクセス・ポイントの識別子を伝える第１のメッセージを受信する」は、ＵＥが複数の第２のネットワークのアクセス・ポイントの識別子を伝える第１のメッセージを受信すると理解することができる。
【００３０】
この実施形態の技術的解決法を採用することによって、第１の補助情報に従って、１つの第２のネットワークのアクセス・ポイントが、複数の第２のネットワークのアクセス・ポイントから選択され、ＵＥが第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【００３１】
任意選択で、前述の実施形態におけるステップ１００「ＵＥが、第２のネットワークのアクセス・ポイントの識別子を伝える第１のメッセージを受信する」は、特に、ＵＥが、ネットワーク側装置によって送信され、第２のネットワークのアクセス・ポイントの識別子を伝える第１のメッセージを受信するということでもよい。
【００３２】
任意選択で、前述の実施形態における技術的解決法に基づき、ＵＥが現在位置している第１のネットワークが、例えば第１のネットワークのマクロ・サイトのシナリオで、複数の第２のネットワークを同時にカバーする状況では、前述の実施形態のステップ１００においてＵＥによって受信される第１のメッセージで伝えられる複数の第２のネットワークのアクセス・ポイントの識別子は、各第２のネットワークのアクセス・ポイントの第２の補助情報に従ってネットワーク側装置によって行われるスクリーニング（ｓｃｒｅｅｎｉｎｇ）により取得されてもよい。第２の補助情報は、各第２のネットワークのアクセス・ポイントの位置情報および／または各第２のネットワークのアクセス・ポイントの負荷情報を含む。このとき、これに対応してステップ１０１「ＵＥが、第１の補助情報に従って複数の第２のネットワークのアクセス・ポイントから１つの第２のネットワークのアクセス・ポイントを選択し、選択した第２のネットワークのアクセス・ポイントにアクセスする」は、特に、ＵＥが、ＵＥの位置情報および／または各第２のネットワークのアクセス・ポイントの信号品質情報に従って複数の第２のネットワークのアクセス・ポイントから１つの第２のネットワークのアクセス・ポイントを選択し、選択した第２のネットワークのアクセス・ポイントにアクセスするということを含んでもよい。この解決法では、ＵＥおよびネットワーク側は共に、ＵＥによってアクセスされることになる第２のネットワークのアクセス・ポイントに対応する第２のネットワークのアクセス・ポイントの識別子を選択し、決定する。例えば、ネットワーク側は、各第２のネットワークのアクセス・ポイントの位置情報および／または各第２のネットワークのアクセス・ポイントの負荷情報に従って、複数の第２のネットワークのアクセス・ポイントをスクリーニングし、複数の第２のネットワークのアクセス・ポイントの識別子を取得し、次いでＵＥはさらに、ＵＥの位置情報および／または各第２のネットワークのアクセス・ポイントの信号品質情報に従って、複数の第２のネットワークのアクセス・ポイントから１つの第２のネットワークのアクセス・ポイントを選択し、対応する第２のネットワークのアクセス・ポイントにアクセスする。
【００３３】
任意選択で、図１に対応する実施形態における技術的解決法に基づき、ＵＥが現在位置している第１のネットワークが、例えば第１のネットワークのマクロ・サイトのシナリオで、複数の第２のネットワークを同時にカバーする状況では、ネットワーク側は、選択に参加しなくてもよく、ＵＥのみが選択を行う。このとき、これに対応して、前述の実施形態のステップ１００で受信される第１のメッセージが、各第２のネットワークのアクセス・ポイントの位置情報および／または各第２のネットワークのアクセス・ポイントの負荷情報をさらに伝えるとき、ＵＥは、各第２のネットワークのアクセス・ポイントの位置情報および／または各第２のネットワークのアクセス・ポイントの負荷情報、ならびにＵＥの位置情報および／または各第２のネットワークのアクセス・ポイントの信号品質情報に従って、複数の第２のネットワークのアクセス・ポイントから１つの第２のネットワークのアクセス・ポイントを選択し、対応する第２のネットワークのアクセス・ポイントにアクセスする。この任意選択の解決法では、ネットワーク側装置は、各第２のネットワークのアクセス・ポイントの位置情報および／または各第２のネットワークのアクセス・ポイントの負荷情報をＵＥに送信し、ＵＥは、ＵＥ自体の位置情報および／または各第２のネットワークのアクセス・ポイントの信号品質情報を参照して、複数の第２のネットワークのアクセス・ポイントの１つを選択し、アクセスする。
【００３４】
さらに、図１に対応する実施形態における技術的解決法に基づき、第１のメッセージが、１つの第２のネットワークのアクセス・ポイントの識別子のみを含むとき、ＵＥは、１つの第２のネットワークのアクセス・ポイントの識別子に対応する第２のネットワークのアクセス・ポイントに直接アクセスする。この解決法の典型的な利用のシナリオは、第１のネットワークのカバレッジが、第２のネットワークのカバレッジと同じである、またはほぼ同じであるというものである。例えば、マイクロ・サイトのシナリオでは、このとき、ネットワーク側装置において、１つの第１のネットワークが、１つの第２のネットワークのアクセス・ポイントの識別子のみに対応し、したがって、ネットワーク側装置は、１つの第２のネットワークのアクセス・ポイントの識別子のみを取得し、１つの第２のネットワーク・ノードの識別子を伝える第１のメッセージをＵＥに送信することができる。
【００３５】
あるいは、任意選択で、ステップ１００でＵＥによって受信された第１のメッセージが、１つの第２のネットワークのアクセス・ポイントの識別子のみを含むとき、このとき、これに対応して、ネットワーク側装置は、複数の第２のネットワークのアクセス・ポイントから１つの第２のネットワークのアクセス・ポイントを選択する。例えば、１つの第２のネットワークのアクセス・ポイントの識別子が、複数の第２のネットワークのアクセス・ポイント上でネットワーク側装置によって行われるスクリーニングにより取得されるとき、前述の実施形態のアクセス方法は、
ネットワーク側装置が、ＵＥの位置情報および／または各第２のネットワークのアクセス・ポイントの信号品質情報に従って、複数の第２のネットワークのアクセス・ポイントから１つの第２のネットワークのアクセス・ポイントを選択するために、ＵＥにより、ＵＥの位置情報および／または各第２のネットワークのアクセス・ポイントの信号品質情報をネットワーク側装置に送信するステップと、次いで、ネットワーク側装置により、１つの第２のネットワークのアクセス・ポイントの識別子を伝える第１のメッセージをＵＥに送信するステップと
をさらに含んでもよい。
【００３６】
前述の説明のように、第１のメッセージが１つの第２のネットワークのアクセス・ポイントの識別子のみを含むとき、このとき、ステップ１００「ＵＥが第２のネットワークのアクセス・ポイントの識別子を伝える第１のメッセージを受信する」は、「ＵＥが１つの第２のネットワークのアクセス・ポイントの識別子を伝える第１のメッセージを受信する」として理解することができる。任意選択で、前述の実施形態において、ネットワーク側装置が第１のメッセージを能動的に起動する状況について説明する。実際の用途において、ＵＥは、ネットワーク側装置へのトリガを起動することもでき、その後ネットワーク側装置は、第１のメッセージを送信する。例えば、前述の実施形態のステップ１００の前に、この方法はさらに、ＵＥにより、第１のネットワークを介してネットワークのアクセス・ポイントのエア・インタフェースのオフローディング要求メッセージをネットワーク側装置に送信するステップを含んでもよい。
【００３７】
任意選択で、第１のメッセージは、エア・インタフェースのオフローディング要求メッセージ後の、かつＵＥが第２のネットワークのアクセス・ポイントにアクセスする前の、メッセージである。
【００３８】
前述の実施形態の第１のネットワークは３ＧＰＰ移動通信網とすることができ、第２のネットワークは非３ＧＰＰ移動通信網である、または
第１のネットワークは非３ＧＰＰ移動通信網であり、第２のネットワークは近距離無線通信網である、または
第１のネットワークは３ＧＰＰ移動通信網であり、第２のネットワークは近距離無線通信網である。
【００３９】
３ＧＰＰ移動通信網には、グローバル移動通信（Ｇｌｏｂａｌ  Ｓｙｓｔｅｍ  Ｆｏｒ  Ｍｏｂｉｌｅ  Ｃｏｍｍｕｎｉｃａｔｉｏｎ：ＧＳＭ（登録商標））、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ（登録商標））、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：ＴＤ−ＳＣＤＭＡ）、またはロング・ターム・エボリューション（Ｌｏｎｇ  Ｔｅｒｍ  Ｅｖｏｌｕｔｉｏｎ：ＬＴＥ）網が含まれる。非３ＧＰＰ移動通信網には、マイクロ波アクセスの世界規模相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）、または符号分割多元接続（Ｃｏｄｅ  Ｄｉｖｉｓｉｏｎ  Ｍｕｌｔｉｐｌｅ  Ａｃｃｅｓｓ：ＣＤＭＡ）２０００が含まれる。近距離無線通信網には、ＷＬＡＮ、赤外線、Ｂｌｕｅｔｏｏｔｈ（登録商標）、またはジグビー（Ｚｉｇｂｅｅ（登録商標））が含まれる。本発明の実施形態では、第２のネットワークは、近距離無線通信網であることが好ましい。
【００４０】
任意選択で、前述の実施形態において、第２のネットワークがＷＬＡＮであるとき、第２のネットワークのアクセス・ポイントの識別子は、第２のネットワークのアクセス・ポイントの基本サービス・セット識別子（Ｂａｓｉｃ  Ｓｅｒｖｉｃｅ  Ｓｅｔ  Ｉｄｅｎｔｉｆｉｅｒ：ＢＳＳＩＤ）、または第２のネットワークのアクセス・ポイントの媒体アクセス制御（Ｍｅｄｉｕｍ／ＭｅｄｉａＡｃｃｅｓｓ  Ｃｏｎｔｒｏｌ、以下ＭＡＣと呼ぶ）レイヤ・アドレス、またはこの２つの組合せを含む。明らかに、前述の組合せに基づいて、ＥＳＳＩＤをさらに含んでもよい。例えば、第２のネットワークのアクセス・ポイントの識別子は、第２のネットワークのアクセス・ポイントのＢＳＳＩＤ＋第２のネットワークのアクセス・ポイントのＥＳＳＩＤでもよい。
【００４１】
前述の実施形態の技術的解決法を採用することによって、ＵＥがアクセスする最適な第２のネットワークのアクセス・ポイントを補助情報により選択することができ、ＵＥは、第２のネットワークのアクセス・ポイントに１つずつアクセスしようと試みる必要がない。したがって、アクセス遅延を効果的に短縮することができ、アクセス効率を向上させ、それによってオフローディングを効果的に実行することができる。
【００４２】
図２は、本発明の別の実施形態で提供されるアクセス方法のフローチャートである。図２に示すように、この実施形態のアクセス方法は、特に次のステップを含んでもよい。
【００４３】
２００：ネットワーク側装置が、第２のネットワークのアクセス・ポイントの識別子を取得する。
【００４４】
この実施形態では、第２のネットワークのアクセス・ポイントの識別子に対応する第２のネットワークのアクセス・ポイントが、ユーザ機器が現在位置している第１のネットワーク上でエア・インタフェースのオフローディングを行うことができる。
【００４５】
２０１：ネットワーク側装置は、第２のネットワークのアクセス・ポイントの取得した識別子に従って、第２のネットワークのアクセス・ポイントの識別子を伝える第１のメッセージを生成する。
【００４６】
２０２：第１のメッセージが複数の第２のネットワークのアクセス・ポイントの識別子を伝えるとき、ＵＥが、第１の補助情報に従って複数の第２のネットワークのアクセス・ポイントの識別子から１つの第２のネットワークのアクセス・ポイントの識別子を選択し、選択した第２のネットワークのアクセス・ポイントにアクセスするために、ネットワーク側装置は、第１のメッセージをＵＥに送信する。
【００４７】
この実施形態の第２のネットワークおよび第１のネットワークは、異なる規格の通信ネットワークであり、第２のネットワークは第１のネットワーク上でエア・インタフェースのオフローディングを行ってもよいと理解することができる。さらに、様々な第２のネットワークが共通のカバレッジを有する状況において、第２のネットワークは、異なる規格の複数のネットワークでもよい。任意選択で、この実施形態の第２のネットワークのアクセス・ポイントの識別子は、第２のネットワークのアクセス・ポイントを一意に識別することができる。
【００４８】
任意選択で、この実施形態において、ネットワーク側装置は、１つの第２のネットワークのアクセス・ポイントの識別子を取得してもよく、複数の第２のネットワークのアクセス・ポイントの識別子を取得してもよい。これに対応して、ネットワーク側装置が、第２のネットワークのアクセス・ポイントの取得した識別子に従って、第２のネットワークのアクセス・ポイントの識別子を伝える第１のメッセージを生成するとき、ネットワーク側装置は、特に、１つの第２のネットワークのアクセス・ポイントの識別子を伝える第１のメッセージを生成してもよく、または複数の第２のネットワークのアクセス・ポイントの識別子を伝える第１のメッセージを生成してもよい。第１のメッセージが複数の第２のネットワークのアクセス・ポイントの識別子を伝えるとき、ネットワーク側装置によってＵＥに送信される第１のメッセージは、複数の第２のネットワークのアクセス・ポイントの識別子を伝える。このようにして、ＵＥは、第１の補助情報に従って第１のメッセージ中の複数の第２のネットワークのアクセス・ポイントの識別子から１つの第２のネットワークのアクセス・ポイントの識別子を選択し、選択した第２のネットワークのアクセス・ポイントにアクセスしてもよい。
【００４９】
この実施形態と図１に示す実施形態との違いは、単に、この実施形態では、本発明の実施形態の技術的解決法について、ネットワーク装置側から説明し、図１に示す実施形態では、本発明の実施形態の技術的解決法についてＵＥ側から説明するということにある。図１に示す実施形態および図２に示す実施形態の特定の実施プロセスについて、互いに参照されてもよい。
【００５０】
この実施形態によるアクセス方法を用いて、ネットワーク側装置は、第２のネットワークのアクセス・ポイントの識別子を取得し、ネットワーク側装置は、第２のネットワークのアクセス・ポイントの取得した識別子に従って、ネットワークのアクセス・ポイントの第２の識別子を伝える第１のメッセージを生成する。第１のメッセージが複数の第２のネットワークのアクセス・ポイントの識別子を伝えるとき、ＵＥが、第１の補助情報に従って複数の第２のネットワークのアクセス・ポイントの識別子から１つの第２のネットワークのアクセス・ポイントの識別子を選択し、選択した第２のネットワークのアクセス・ポイントにアクセスするために、ネットワーク側装置は、第１のメッセージをＵＥに送信する。この実施形態の技術的解決法を用いて、ＵＥは、第１の補助情報に従って、アクセスする複数の第２のネットワークのアクセス・ポイントの識別子から１つの第２のネットワークのアクセス・ポイントの識別子を選択することができ、ＵＥは、第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【００５１】
任意選択で、図２に対応する実施形態の技術的解決法は、ＵＥが現在位置している第１のネットワークが、例えば、第１のネットワークのマクロ・サイトのシナリオで、複数の第２のネットワークを同時にカバーする状況に適用されてもよく、ＵＥは、アクセスする第２のネットワークのアクセス・ポイントの識別子を選択する。
【００５２】
任意選択で、前述の実施形態の技術的解決法に基づき、第１のメッセージが複数の第２のネットワークのアクセス・ポイントの識別子を含むとき、ステップ２０１「ネットワーク側装置が、第２のネットワークのアクセス・ポイントの取得した識別子に従って、第２のネットワークのアクセス・ポイントの識別子を伝える第１のメッセージを生成する」は、特に、ネットワーク側装置が、各第２のネットワークのアクセス・ポイントの位置情報および／または各第２のネットワークのアクセス・ポイントの負荷情報に従って、取得した第２のネットワークのアクセス・ポイントをスクリーニングし、複数の第２のネットワークのアクセス・ポイントの識別子を伝える第１のメッセージを生成することを含む。例えば、この解決法は、ＵＥが現在位置している第１のネットワークが、例えば第１のネットワークのマクロ・サイトのシナリオで、複数の第２のネットワークを同時にカバーし、ＵＥおよびネットワーク側装置が共に、ＵＥによってアクセスされる第２のネットワークのアクセス・ポイントに対応する、第２のネットワークのアクセス・ポイントの識別子を選択する状況に適用されてもよい。例えば、ネットワーク側は、各第２のネットワークのアクセス・ポイントの位置情報および／または各第２のネットワークのアクセス・ポイントの負荷情報に従って、複数の第２のネットワークのアクセス・ポイントをスクリーニングし、複数の第２のネットワークのアクセス・ポイントの識別子を取得し、次いでＵＥはさらに、ＵＥの位置情報および／または各第２のネットワークのアクセス・ポイントの信号品質情報に従って、複数の第２のネットワークのアクセス・ポイントから１つの第２のネットワークのアクセス・ポイントを選択し、選択した第２のネットワークのアクセス・ポイントにアクセスする。
【００５３】
任意選択で、前述の実施形態の技術的解決法に基づき、第１のメッセージが複数の第２のネットワークのアクセス・ポイントの識別子を含むとき、ステップ２０１「ネットワーク側装置が、第２のネットワークのアクセス・ポイントの取得した識別子に従って、第２のネットワークのアクセス・ポイントの識別子を伝える第１のメッセージを生成する」は、特に、ネットワーク側装置が、すべての第２のネットワークのアクセス・ポイントの取得した識別子を伝える第１のメッセージを直接的に生成するということを含んでもよい。この解決法の典型的な用途シナリオは、ＵＥが現在位置している第１のネットワークが、複数の第２のネットワークを同時にカバーする状況である。例えば、第１のネットワークのマクロ・サイトのシナリオでは、ＵＥ装置は、アクセスする第２のネットワークのアクセス・ポイントの第２のネットワークのアクセス・ポイントの識別子を選択する。
【００５４】
任意選択で、前述の実施形態の技術的解決法に基づき、第１のメッセージが１つの第２のネットワークのアクセス・ポイントの識別子のみを含むとき、前述の実施形態のアクセス方法は、
ＵＥが１つの第２のネットワークのアクセス・ポイントの識別子に対応する第２のネットワークのアクセス・ポイントにアクセスするために、ネットワーク側装置によって、１つの第２のネットワークのアクセス・ポイントの識別子を伝える第１のメッセージをＵＥに送信するステップ
をさらに含む。
【００５５】
さらに任意選択で、前述の実施形態のアクセス方法は、ＵＥによって送信され、ＵＥの位置情報および／または各第２のネットワークのアクセス・ポイントの信号品質情報を伝える第２のメッセージを、ネットワーク側装置によって受信するステップをさらに含む。
【００５６】
さらに任意選択で、第１のメッセージが、１つの第２のネットワークのアクセス・ポイントの識別子のみを含むとき、ネットワーク側装置が、１つの第２のネットワークのアクセス・ポイントの識別子を伝える第１のメッセージを生成し、特に、ネットワーク側装置が、ＵＥの位置情報および／または各第２のネットワークのアクセス・ポイントの信号品質情報および各第２のネットワークのアクセス・ポイントの位置情報および／または各第２のネットワークのアクセス・ポイントの負荷情報に従って、複数の第２のネットワークのアクセス・ポイントをスクリーニングし、１つの第２のネットワークのアクセス・ポイントの識別子のみを伝える第１のメッセージを生成する。この解決法の典型的な用途シナリオは、ＵＥが現在位置している第１のネットワークが、複数の第２のネットワークを同時にカバーする状況である。例えば、第１のネットワークのマクロ・サイトのシナリオでは、ネットワーク側装置は、アクセスする第２のネットワークのアクセス・ポイントの第２のネットワークのアクセス・ポイントの識別子を選択する。
【００５７】
任意選択で、前述の実施形態の第１のネットワークは３ＧＰＰ移動通信網であり、第２のネットワークは非３ＧＰＰ移動通信網である、または
第１のネットワークは非３ＧＰＰ移動通信網であり、第２のネットワークは近距離無線通信網である、または
第１のネットワークは３ＧＰＰ移動通信網であり、第２のネットワークは近距離無線通信網である。
【００５８】
３ＧＰＰ移動通信網には、ＧＳＭ（登録商標）、ＷＣＤＭＡ（登録商標）、ＴＤ−ＳＣＤＭＡ、またはＬＴＥ網が含まれる。非３ＧＰＰ移動通信網には、ＷＩＭＡＸまたはＣＤＭＡ２０００が含まれる。近距離無線通信網には、ＷＬＡＮ、赤外線、Ｂｌｕｅｔｏｏｔｈ（登録商標）、またはＺｉｇｂｅｅ（登録商標）が含まれる。本発明の実施形態では、第２のネットワークは、近距離無線通信網であることが好ましい。
【００５９】
任意選択で、前述の実施形態において、第２のネットワークがＷＬＡＮであるとき、第２のネットワークのアクセス・ポイントの識別子には、第２のネットワークのアクセス・ポイントの基本サービス・セット識別子ＢＳＳＩＤおよび／または第２のネットワークのアクセス・ポイントの媒体アクセス制御ＭＡＣレイヤ・アドレスが含まれる。明らかに、前述の組合せに基づいて、ＥＳＳＩＤをさらに含んでもよい。例えば、第２のネットワークのアクセス・ポイントの識別子は、第２のネットワークのアクセス・ポイントのＢＳＳＩＤ＋第２のネットワークのアクセス・ポイントのＥＳＳＩＤでもよい。
【００６０】
前述の実施形態の技術的解決法に基づき、前述のアクセス方法は、第２のネットワークのアクセス・ポイントによって送信され、第２のネットワークのアクセス・ポイントの識別子を含む登録情報を、ネットワーク側装置によって受信することと、次いで、第２のネットワークのアクセス・ポイントの識別子と第１のネットワークとの間のマッピング関係を、ネットワーク側装置によって確立することとをさらに含むことに注意すべきである。すなわち、ネットワーク装置側で、第１のネットワーク上でオフローディングを行うために使用される複数の第２のネットワークのアクセス・ポイントは、事前にネットワーク装置側に登録する必要がある。このように、ネットワーク装置側は、第１のネットワークに対して、オフローディングに使用される対応する第２のネットワークのアクセス・ポイントを割り当て、第２のネットワークのアクセス・ポイントと第１のネットワークとの間に結合関係（ｂｉｎｄｉｎｇ  ｒｅｌａｔｉｏｎｓｈｉｐ）またはマッピング関係を確立してもよい。例えば、ネットワーク装置側は、第２のネットワークのアクセス・ポイントの識別子と第１のネットワークとの間のマッピングを確立する。実際の用途では、ＵＥが現在位置している第１のネットワークが、例えば、第１のネットワークのマイクロ・サイトのシナリオで、複数の第２のネットワークを同時にカバーする状況では、１つの第１のネットワークは、１つの第２のネットワークのアクセス・ポイントの識別子のみに対応してもよい。マクロ・サイトのシナリオでは、１つの第１のネットワークは、複数の第２のネットワークのアクセス・ポイントの識別子に対応してもよい。実際の用途では、第２のネットワークのアクセス・ポイントの登録情報は、第２のネットワークのアクセス・ポイントの位置情報、第２のネットワークのアクセス・ポイントのＥＳＳＩＤ、および第２のネットワークのアクセス・ポイントのＩＰアドレスのうちの少なくとも１つをさらに含んでもよい。
【００６１】
前述の実施形態の技術的解決法を採用することによって、ＵＥがアクセスする１つの第２のネットワークのアクセス・ポイントが、複数の第２のネットワークのアクセス・ポイントから選択可能であり、ＵＥは第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【００６２】
図３は、本発明の一実施形態で提供されるアクセス方法のシグナリング図である。この実施形態のアクセス方法では、ＵＥが現在位置している第１のネットワークが、複数の第２のネットワークを同時にカバーする状況の第１のネットワークのマイクロ・サイトのシナリオを例にとって、本発明の技術的解決法を詳細に紹介する。図３に示すように、この実施形態のアクセス方法は、特に次のステップを含んでもよい。
【００６３】
３００：第２のネットワークのアクセス・ポイントが、ネットワーク側装置に登録するために、ネットワーク側装置に登録情報を送信する。
【００６４】
登録情報は、第２のネットワークのアクセス・ポイントの識別子を含み、さらに各第２のネットワークのアクセス・ポイントの位置情報および／または各第２のネットワークのアクセス・ポイントの負荷情報を含んでもよい。
【００６５】
３０１:ネットワーク側装置は、第１のネットワークと、第２のネットワークのアクセス・ポイントの識別子との間のマッピングを確立する。
【００６６】
この実施形態では、マイクロ・サイトのシナリオにおいて、第１のネットワークは、１つの第２のネットワークのアクセス・ポイントのみに対応し、この実施形態の第２のネットワークのアクセス・ポイントの識別子は、第２のネットワークのアクセス・ポイントを一意に識別することができる。
【００６７】
３０２：ＵＥは、ＵＥが現在位置している第１のネットワークを介して、オフローディング要求メッセージをネットワーク側装置に送信する。
【００６８】
３０３：ネットワーク側装置は、現在ＵＥによってアクセスされている第１のネットワークを判断し、第１のネットワークと、第２のネットワークのアクセス・ポイントの識別子とのマッピング関係に従って、第２のネットワークのアクセス・ポイントの識別子を取得する。
【００６９】
３０４：ネットワーク側装置は、第１のネットワークを介して、第２のネットワークのアクセス・ポイントの識別子を伝える第１のメッセージをＵＥに送信する。
【００７０】
例えば、この実施形態では、第１のメッセージは、オフローディング確立メッセージでもよい。
【００７１】
３０５：ＵＥは、現在ＵＥがアクセスしている第１のネットワークを介して、ネットワーク側装置によって送信され、第２のネットワークのアクセス・ポイントの識別子を伝える第１のメッセージを受信し、ＵＥは、第２のネットワークのアクセス・ポイントの識別子を取得する。
【００７２】
３０６：ＵＥは、第２のネットワークのアクセス・ポイントの識別子に対応する第２のネットワークのアクセス・ポイントにアクセスする。
【００７３】
好ましくは、この実施形態の第１のネットワークは、３ＧＰＰ移動通信網または非３ＧＰＰ移動通信網であり、第２のネットワークは、近距離無線通信網である。３ＧＰＰ移動通信網、非３ＧＰＰ移動通信網、近距離無線通信網、および第２のネットワークのアクセス・ポイントの識別子は、前述の実施形態で説明したものと同じであり、詳細には、前述の実施形態の説明を参照することができ、ここでは再び説明しない。
【００７４】
この実施形態のアクセス方法を用いて、前述の実施形態の技術的解決法を採用することにより、ＵＥが、ＵＥによりアクセス可能な第２のネットワークのアクセス・ポイントを取得することができ、ＵＥは第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【００７５】
図４は、本発明の別の実施形態で提供されるアクセス方法のシグナリング図である。この実施形態のアクセス方法では、ＵＥが現在位置している第１のネットワークが、複数の第２のネットワークを同時にカバーする状況の第１のネットワークのマクロ・サイトのシナリオで、ＵＥが、アクセスする第２のネットワークのアクセス・ポイントの識別子を選択することを例として、本発明の技術的解決法を詳細に説明する。図４に示すように、この実施形態のアクセス方法は、特に次のステップを含んでもよい。
【００７６】
４００：複数の第２のネットワークのアクセス・ポイントが、ネットワーク側装置に登録するために、ネットワーク側装置に登録情報を送信する。
【００７７】
各第２のネットワークのアクセス・ポイントによって送信される登録情報は、第２のネットワークのアクセス・ポイントの識別子、ならびに各第２のネットワークのアクセス・ポイントの位置情報および／または各第２のネットワークのアクセス・ポイントの負荷情報を含む。
【００７８】
４０１：ネットワーク側装置は、第１のネットワークと、複数の第２のネットワークのアクセス・ポイントの識別子との間のマッピングを確立する。
【００７９】
この実施形態では、マクロ・サイトのシナリオにおいて、第１のネットワークは、複数の第２のネットワークのアクセス・ポイントに対応し、この実施形態の各第２のネットワークのアクセス・ポイントの識別子が、第２のネットワークのアクセス・ポイントを一意に識別することができる。
【００８０】
４０２：ＵＥは、ＵＥが現在位置している第１のネットワークを介して、オフローディング要求メッセージをネットワーク側装置に送信する。
【００８１】
４０３：ネットワーク側装置は、現在ＵＥによってアクセスされている第１のネットワークを判断し、第１のネットワークと、複数の第２のネットワークのアクセス・ポイントの識別子との間のマッピングに従って、複数の第２のネットワークのアクセス・ポイントの識別子を取得する。
【００８２】
４０４：ネットワーク側装置は、第１のネットワークを介して、複数の第２のネットワークのアクセス・ポイントの識別子、各第２のネットワークのアクセス・ポイントの位置情報および／または各第２のネットワークのアクセス・ポイントの負荷情報を伝える第１のメッセージをＵＥに送信する。
【００８３】
例えば、この実施形態では、第１のメッセージは、オフローディング確立メッセージでもよい。
【００８４】
４０５：ＵＥは、現在ＵＥがアクセスしている第１のネットワークを介して、ネットワーク側装置によって送信され、複数の第２のネットワークのアクセス・ポイントの識別子を伝える第１のメッセージを受信し、ＵＥは、複数の対応する第２のネットワークのアクセス・ポイントの識別子を取得する。
【００８５】
４０６：ＵＥは、ＵＥの位置情報および／または各第２のネットワークのアクセス・ポイントの信号品質情報、ならびに各第２のネットワークのアクセス・ポイントの位置情報および／または各第２のネットワークのアクセス・ポイントの負荷情報に従って、複数の第２のネットワークのアクセス・ポイントの識別子から１つの第２のネットワークのアクセス・ポイントの識別子を選択する。
【００８６】
４０７：ＵＥは、選択した第２のネットワークのアクセス・ポイントの識別子に対応する第２のネットワークのアクセス・ポイントにアクセスする。
【００８７】
例えば、ＵＥは、ＵＥの位置情報および複数の第２のネットワークのアクセス・ポイントの位置情報に従って、複数の第２のネットワークのアクセス・ポイントの識別子からＵＥに最も近い１つの第２のネットワークのアクセス・ポイントの識別子を取得してもよい。または、ＵＥは、ＵＥの位置情報、複数の第２のネットワークのアクセス・ポイントの位置情報、および複数の第２のネットワークのアクセス・ポイントの負荷情報により、複数の第２のネットワークのアクセス・ポイントの識別子から、ＵＥに最も近く、最小の負荷を有する第２のネットワークのアクセス・ポイントの識別子を取得してもよい。または、ＵＥは、ＵＥが行う検出により取得される、複数の第２のネットワークのアクセス・ポイントの信号品質情報に従って、複数の第２のネットワークのアクセス・ポイントの識別子から、最良の信号品質情報を有する複数の第２のネットワークのアクセス・ポイントの識別子を取得してもよい。または、ＵＥは、第２のネットワークのアクセス・ポイントの識別子を取得するために、ＵＥの位置情報、各第２のネットワークのアクセス・ポイントの信号品質情報、各第２のネットワークのアクセス・ポイントの位置情報、および各第２のネットワークのアクセス・ポイントの負荷情報を、包括的に検討してもよく、信号品質情報は、ＵＥによって行われる検出により取得され、第２のネットワークのアクセス・ポイントの識別子は、様々な点で優れた第２のネットワークのアクセス・ポイントに対応する。実際の用途では、前述の方法から推論される複数の第２のネットワークのアクセス・ポイントの識別子から１つの第２のネットワークのアクセス・ポイントの識別子を選択する他の方法を採用してもよく、ここでは１つずつ例を挙げない。この実施形態では、ＵＥは、検出により各第２のネットワークのアクセス・ポイントの信号品質情報を取得することができる。
【００８８】
好ましくは、この実施形態の第１のネットワークは、３ＧＰＰ移動通信網または非３ＧＰＰ移動通信網であり、第２のネットワークは、近距離無線通信網である。３ＧＰＰ移動通信網、非３ＧＰＰ移動通信網、近距離無線通信網、および第２のネットワークのアクセス・ポイントの識別子は、前述の実施形態で説明したものと同じであり、詳細については、前述の実施形態の説明を参照することができ、ここでは再び説明しない。
【００８９】
この実施形態によるアクセス方法を用いて、前述の実施形態の技術的解決法を採用することにより、ＵＥは、ＵＥの位置情報および／または各第２のネットワークのアクセス・ポイントの信号品質情報、ならびに各第２のネットワークのアクセス・ポイントの位置情報および／または各第２のネットワークのアクセス・ポイントの負荷情報に従って、複数の第２のネットワークのアクセス・ポイントの識別子から１つの第２のネットワークのアクセス・ポイントの識別子を選択することができ、選択した第２のネットワークのアクセス・ポイントにアクセスする。ＵＥは、第２のネットワークのアクセス・ポイントに１つずつアクセスしようと試みる必要がなく、これにより、ＵＥが正しいＷＬＡＮのＡＰにアクセスする過程において、アクセス遅延が非常に長く、アクセス効率が比較的低いという従来の技術の欠点を解決することができ、アクセス遅延を効果的に短縮することができ、アクセス効率を向上させ、それによってオフローディングを効果的に実行することができる。
【００９０】
図５は、本発明のさらに別の実施形態で提供されるアクセス方法のシグナリング図である。この実施形態のアクセス方法では、ＵＥが現在位置している第１のネットワークが、複数の第２のネットワークを同時にカバーする状況の第１のネットワークのマクロ・サイトのシナリオで、ネットワーク側装置が、アクセスする第２のネットワークのアクセス・ポイントの識別子を選択することを例にとって、本発明の技術的解決法を詳細に紹介する。図５に示すように、この実施形態のアクセス方法は、特に次のステップを含んでもよい。
【００９１】
５００：複数の第２のネットワークのアクセス・ポイントが、ネットワーク側装置に登録するために、ネットワーク側装置に登録情報を送信する。
【００９２】
各第２のネットワークのアクセス・ポイントによって送信された登録情報は、第２のネットワークのアクセス・ポイントの識別子、ならびに各第２のネットワークのアクセス・ポイントの位置情報および／または各第２のネットワークのアクセス・ポイントの負荷情報を含む。
【００９３】
５０１：ネットワーク側装置は、第１のネットワークと、複数の第２のネットワークのアクセス・ポイントの識別子との間のマッピングを確立する。
【００９４】
この実施形態では、マクロ・サイトのシナリオにおいて、第１のネットワークは、複数の第２のネットワークのアクセス・ポイントに対応し、この実施形態の各第２のネットワークのアクセス・ポイントの識別子が、第２のネットワークのアクセス・ポイントを一意に識別することができる。
【００９５】
５０２：ＵＥは、ＵＥの位置情報および／または複数の第２のネットワークのアクセス・ポイントの信号品質情報を、ＵＥが現在位置している第１のネットワークを介してネットワーク側装置に報告する。
【００９６】
５０３：ＵＥは、ＵＥが現在位置している第１のネットワークを介して、オフローディング要求メッセージをネットワーク側装置に送信する。
【００９７】
ステップ５０２とステップ５０３との間に順序は存在しなくてもよい。
【００９８】
５０４：ネットワーク側装置は、現在ＵＥによってアクセスされている第１のネットワークを判断し、ＵＥの位置情報および／または複数の第２のネットワークのアクセス・ポイントの信号品質情報、ならびに各第２のネットワークのアクセス・ポイントの位置情報および／または各第２のネットワークのアクセス・ポイントの負荷情報に従って、第１のネットワークに対応する複数の第２のネットワークのアクセス・ポイントの識別子から１つの第２のネットワークのアクセス・ポイントの識別子を選択する。
【００９９】
例えば、ネットワーク側装置は、ＵＥの位置情報および複数の第２のネットワークのアクセス・ポイントの位置情報に従って、複数の第２のネットワークのアクセス・ポイントの識別子からＵＥに最も近い１つの第２のネットワークのアクセス・ポイントの識別子を取得してもよい。または、ネットワーク側装置は、ＵＥの位置情報、複数の第２のネットワークのアクセス・ポイントの位置情報、および複数の第２のネットワークのアクセス・ポイントの負荷情報により、複数の第２のネットワークのアクセス・ポイントの識別子から、ＵＥに最も近く、最小の負荷を有する第２のネットワークのアクセス・ポイントの識別子を取得してもよい。または、ネットワーク側装置は、ＵＥが行う検出により取得される、複数の第２のネットワークのアクセス・ポイントの信号品質情報に従って、複数の第２のネットワークのアクセス・ポイントの識別子から、最良の信号品質情報を有する複数の第２のネットワークのアクセス・ポイントの識別子を取得してもよい。または、第２のネットワークのアクセス・ポイントの識別子を取得するために、ＵＥの位置情報、各第２のネットワークのアクセス・ポイントの信号品質情報、各第２のネットワークのアクセス・ポイントの位置情報、および各第２のネットワークのアクセス・ポイントの負荷情報を、包括的に検討してもよく、信号品質情報は、ＵＥによって行われる検出により取得され、第２のネットワークのアクセス・ポイントの識別子は、様々な点で優れた第２のネットワークのアクセス・ポイントに対応する。実際の用途では、前述の方法から推論された複数の第２のネットワークのアクセス・ポイントの識別子から１つの第２のネットワークのアクセス・ポイントの識別子を選択する他の方法を採用してもよく、ここでは１つずつ例を挙げない。
【０１００】
５０５：ネットワーク側装置は、第１のネットワークを介して、１つの選択された第２のネットワークのアクセス・ポイントの識別子を伝える第１のメッセージをＵＥに送信する。
【０１０１】
例えば、この実施形態では、第１のメッセージは、オフローディング確立メッセージでもよい。
【０１０２】
５０６：ＵＥは、現在ＵＥがアクセスしている第１のネットワークを介して、ネットワーク側装置によって送信され、１つの第２のネットワークのアクセス・ポイントの識別子を伝える第１のメッセージを受信し、ＵＥは、１つの対応する第２のネットワークのアクセス・ポイントの識別子を取得する。
【０１０３】
５０７：ＵＥは、１つの第２のネットワークのアクセス・ポイントの識別子に対応する第２のネットワークのアクセス・ポイントにアクセスする。
【０１０４】
この実施形態では、ＵＥは、検出により各第２のネットワークのアクセス・ポイントの信号品質情報を取得することができる。
【０１０５】
任意選択で、この実施形態の第１のネットワークは、３ＧＰＰ移動通信網または非３ＧＰＰ移動通信網であり、第２のネットワークは、近距離無線通信網である。３ＧＰＰ移動通信網、非３ＧＰＰ移動通信網、近距離無線通信網、および第２のネットワークのアクセス・ポイントの識別子は、前述の実施形態で説明したものと同じであり、詳細については、前述の実施形態の説明を参照することができ、ここでは再び説明しない。
【０１０６】
この実施形態によるアクセス方法を用いて、前述の実施形態の技術的解決法を採用することによって、ネットワーク側装置が、ＵＥの位置情報および／または複数の第２のネットワークのアクセス・ポイントの信号品質情報、ならびに各第２のネットワークのアクセス・ポイントの位置情報および／または各第２のネットワークのアクセス・ポイントの負荷情報に従って、第１のネットワークに対応する複数の第２のネットワークのアクセス・ポイントの識別子から１つの第２のネットワークのアクセス・ポイントの識別子を取得することができ、ＵＥが第２のネットワークのアクセス・ポイントの識別子に対応する第２のネットワークのアクセス・ポイントにアクセスするために、ＵＥに通知する。ＵＥは、第２のネットワークのアクセス・ポイントに１つずつアクセスしようと試みる必要がなく、これにより、アクセス遅延を効果的に短縮することができ、アクセス効率を向上させ、それによってオフローディングを効果的に実行することができる。
【０１０７】
図６は、本発明のさらに別の実施形態で提供されるアクセス方法のシグナリング図である。この実施形態のアクセス方法では、本発明の技術的解決法を詳細に紹介するために、ＵＥが現在位置している第１のネットワークが、複数の第２のネットワークを同時にカバーする状況の第１のネットワークのマクロ・サイトのシナリオで、アクセスする第２のネットワークのアクセス・ポイントの識別子を、ＵＥおよびネットワーク側装置が共に選択することを例に挙げる。図６に示すように、この実施形態のアクセス方法は、特に次のステップを含んでもよい。
【０１０８】
６００：複数の第２のネットワークのアクセス・ポイントが、ネットワーク側装置に登録するために、ネットワーク側装置に登録情報を送信する。
【０１０９】
各第２のネットワークのアクセス・ポイントによって送信された登録情報は、少なくとも、第２のネットワークのアクセス・ポイントの識別子、ならびに各第２のネットワークのアクセス・ポイントの位置情報および／または各第２のネットワークのアクセス・ポイントの負荷情報を含む。
【０１１０】
６０１：ネットワーク側装置は、第１のネットワークと、複数の第２のネットワークのアクセス・ポイントの識別子との間のマッピングを確立する。
【０１１１】
この実施形態では、マクロ・サイトのシナリオにおいて、第１のネットワークは、複数の第２のネットワークのアクセス・ポイントに対応し、この実施形態の各第２のネットワークのアクセス・ポイントの識別子が、第２のネットワークのアクセス・ポイントを一意に識別することができる。
【０１１２】
６０２：ＵＥは、ＵＥが現在位置している第１のネットワークを介して、ＵＥの位置情報をネットワーク側装置に報告する。
【０１１３】
６０３：ＵＥは、ＵＥが現在位置している第１のネットワークを介して、オフローディング要求メッセージをネットワーク側装置に送信する。
【０１１４】
ステップ６０２とステップ６０３との間に順序は存在しなくてもよい。
【０１１５】
６０４：ネットワーク側装置は、現在ＵＥによってアクセスされている第１のネットワークを判断し、ＵＥの位置情報、ならびに各第２のネットワークのアクセス・ポイントの位置情報および／または各第２のネットワークのアクセス・ポイントの負荷情報に従って、第１のネットワークに対応する複数の第２のネットワークのアクセス・ポイントの識別子から少なくとも１つの第２のネットワークのアクセス・ポイントの識別子を取得する。
【０１１６】
例えば、ネットワーク側装置は、ＵＥの位置情報および複数の第２のネットワークのアクセス・ポイントの位置情報に従って、複数の第２のネットワークのアクセス・ポイントの識別子からＵＥに最も近い少なくとも１つの第２のネットワークのアクセス・ポイントの識別子を取得してもよい。または、ネットワーク側装置は、ＵＥの位置情報、複数の第２のネットワークのアクセス・ポイントの位置情報、および複数の第２のネットワークのアクセス・ポイントの負荷情報により、複数の第２のネットワークのアクセス・ポイントの識別子から、ＵＥに最も近く、最小の負荷を有する少なくとも１つの第２のネットワークのアクセス・ポイントの識別子を取得してもよい。または、ネットワーク側装置は、複数の第２のネットワークのアクセス・ポイントの負荷情報に従って、複数の第２のネットワークのアクセス・ポイントの識別子から、最小の負荷を有する少なくとも１つの第２のネットワークのアクセス・ポイントの識別子を取得してもよい。実際の用途では、前述の方法から推論された複数の第２のネットワークのアクセス・ポイントの識別子から１つの第２のネットワークのアクセス・ポイントの識別子を選択する他の方法を採用してもよく、ここでは１つずつ例を挙げない。
【０１１７】
６０５：ネットワーク側装置は、第１のネットワークを介して、少なくとも１つの第２のネットワークのアクセス・ポイントの識別子を伝える第１のメッセージをＵＥに送信する。
【０１１８】
例えば、この実施形態では、第１のメッセージは、オフローディング確立メッセージでもよい。
【０１１９】
６０６：ＵＥは、現在ＵＥがアクセスしている第１のネットワークを介して、ネットワーク側装置によって送信され、少なくとも１つの第２のネットワークのアクセス・ポイントの識別子を伝える第１のメッセージを受信し、ＵＥは、対応する少なくとも１つの第２のネットワークのアクセス・ポイントの識別子を取得する。
【０１２０】
６０７：ＵＥは、各第２のネットワークのアクセス・ポイントの信号品質情報に従って、少なくとも１つの第２のネットワークのアクセス・ポイントの識別子から１つの第２のネットワークのアクセス・ポイントの識別子を選択する。
【０１２１】
例えば、ＵＥは、各第２のネットワークのアクセス・ポイントの信号品質情報に従って、少なくとも１つの第２のネットワークのアクセス・ポイントの識別子から、最良の信号品質を有する第２のネットワークのアクセス・ポイントに対応する第２のネットワークのアクセス・ポイントの識別子を取得する。
【０１２２】
６０８：ＵＥは、選択した第２のネットワークのアクセス・ポイントの識別子に対応する第２のネットワークのアクセス・ポイントにアクセスする。
【０１２３】
この実施形態では、ＵＥは、検出により各第２のネットワークのアクセス・ポイントの信号品質情報を取得することができる。
【０１２４】
好ましくは、この実施形態の第１のネットワークは、３ＧＰＰ移動通信網または非３ＧＰＰ移動通信網であり、第２のネットワークは、近距離無線通信網である。３ＧＰＰ移動通信網、非３ＧＰＰ移動通信網、近距離無線通信網、および第２のネットワークのアクセス・ポイントの識別子は、前述の実施形態で説明したものと同じであり、詳細については、前述の実施形態の説明を参照することができ、ここでは再び説明しない。
【０１２５】
この実施形態のアクセス方法を用いて、前述の実施形態の技術的解決法を採用することにより、ネットワーク側装置およびＵＥが共に、ＵＥによりアクセス可能な第２のネットワークのアクセス・ポイントの識別子を選択し、これによりＵＥは、この第２のネットワークのアクセス・ポイントの識別子に対応する第２のネットワークのアクセス・ポイントにアクセスする。ＵＥは、第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【０１２６】
上述の方法の実施形態のステップの全部または一部は、関連ハードウェアに命令するプログラムによって実行されてもよいことを、当業者は理解できる。前述のプログラムは、コンピュータ可読記憶媒体に格納されてもよい。プログラムが実行されるとき、前述の方法の実施形態に含まれる諸ステップが行われる。前述の記憶媒体は、ＲＯＭ、ＲＡＭ、磁気ディスク、または光ディスクのような、プログラム・コードを格納することができるいかなる媒体でもよい。
【０１２７】
図７は、本発明の一実施形態で提供されるＵＥの概略構造図である。図７に示すように、この実施形態のＵＥは、特に、受信モジュール１０と、アクセス・モジュール１１とを含んでもよい。
【０１２８】
この実施形態では、受信モジュール１０は、第２のネットワークのアクセス・ポイントの識別子を伝える第１のメッセージを受信するように構成され、第２のネットワークのアクセス・ポイントは、ＵＥが現在位置している第１のネットワーク上でエア・インタフェースのオフローディングを行うことができる。アクセス・モジュール１１は、受信モジュール１０に接続され、アクセス・モジュール１１は、第１のメッセージが複数の第２のネットワークのアクセス・ポイントの識別子を伝えるとき、第１の補助情報に従って、受信モジュール１０によって受信された複数の第２のネットワークのアクセス・ポイントから１つの第２のネットワークのアクセス・ポイントを選択し、選択した第２のネットワークのアクセス・ポイントにアクセスするように構成される。
【０１２９】
この実施形態のＵＥを用いて、前述のモジュールを採用することによりアクセスを実施するための実施メカニズムは、前述の関連する方法の実施形態の実施メカニズムと同じものであり、詳細については、前述の関連する方法の実施形態の説明を参照することができ、ここでは再び説明しない。
【０１３０】
この実施形態によるＵＥを用いて、前述のモジュールを採用することによって、１つの第２のネットワークのアクセス・ポイントが、第１の補助情報に従って複数の第２のネットワークのアクセス・ポイントから選択可能であり、ＵＥは第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【０１３１】
任意選択で、図７に示す実施形態に基づいて、次の拡張された技術的解決法をさらに含んで、図７に示す実施形態の拡張された実施形態を形成してもよい。
【０１３２】
図７に示す実施形態の拡張された実施形態では、第１のメッセージで伝えられる複数の第２のネットワークのアクセス・ポイントの識別子は、各第２のネットワークのアクセス・ポイントの第２の補助情報により、ネットワーク側装置によって行われるスクリーニングにより取得される。第２の補助情報は、各第２のネットワークのアクセス・ポイントの位置情報および／または各第２のネットワークのアクセス・ポイントの負荷情報を含む。このとき、これに対応して、アクセス・モジュール１１は、ＵＥの位置情報および／または各第２のネットワークのアクセス・ポイントの信号品質情報に従って、複数の第２のネットワークのアクセス・ポイントから１つの第２のネットワークのアクセス・ポイントを選択し、選択した第２のネットワークのアクセス・ポイントにアクセスするように構成される。
【０１３３】
任意選択で、図７に示す実施形態の拡張された実施形態において、アクセス・モジュール１１は、第１のメッセージが、各第２のネットワークのアクセス・ポイントの位置情報および／または各アクセス・ポイントの負荷情報をさらに伝えるとき、受信モジュール１０によって受信される第１のメッセージ中の各第２のネットワークのアクセス・ポイントの位置情報および／または各第２のネットワークのアクセス・ポイントの負荷情報、ならびにユーザ機器の位置情報および／または各第２のネットワークのアクセス・ポイントの信号品質情報に従って、複数の第２のネットワークのアクセス・ポイントから１つの第２のネットワークのアクセス・ポイントを選択し、選択した第２のネットワークのアクセス・ポイントにアクセスするように構成される。
【０１３４】
任意選択で、図７に示す実施形態の拡張された実施形態において、アクセス・モジュール１１は、第１のメッセージが、１つの第２のネットワークのアクセス・ポイントの識別子のみを含むとき、１つの第２のネットワークのアクセス・ポイントの識別子に対応する第２のネットワークのアクセス・ポイントにアクセスするように構成される。
【０１３５】
このとき、さらに任意選択で、ＵＥは送信モジュールをさらに含んでもよい。送信モジュールは、複数の第２のネットワークのアクセス・ポイント上でネットワーク側装置によって行われるスクリーニングにより、１つの第２のネットワークのアクセス・ポイントの識別子が取得されるとき、ネットワーク側装置が、ＵＥの位置情報および／または各第２のネットワークのアクセス・ポイントの信号品質情報に従って複数の第２のネットワークのアクセス・ポイントから１つの第２のネットワークのアクセス・ポイントを選択するために、ＵＥの位置情報および／または各第２のネットワークのアクセス・ポイントの信号品質情報をネットワーク側装置に送信するように構成される。
【０１３６】
任意選択で、前述の実施形態の送信モジュールはさらに、ネットワークのアクセス・ポイントのエア・インタフェースのオフローディング要求メッセージを、第１のネットワークを介してネットワーク側装置に送信するように構成される。
【０１３７】
任意選択で、前述の実施形態の第１のメッセージは、エア・インタフェースのオフローディング要求メッセージ後の、かつＵＥが第２のネットワークのアクセス・ポイントにアクセスする前のメッセージである。
【０１３８】
任意選択で、前述の実施形態の第１のネットワークは３ＧＰＰ移動通信網であり、第２のネットワークは非３ＧＰＰ移動通信網である、または、第１のネットワークは非３ＧＰＰ移動通信網であり、第２のネットワークは近距離無線通信網である、または、第１のネットワークは３ＧＰＰ移動通信網であり、第２のネットワークは近距離無線通信網である。
【０１３９】
任意選択で、前述の実施形態の３ＧＰＰ移動通信網には、ＧＳＭ（登録商標）、ＷＣＤＭＡ（登録商標）、ＴＤ−ＳＣＤＭＡ、またはＬＴＥ網が含まれる。非３ＧＰＰ移動通信網には、ＷＩＭＡＸまたはＣＤＭＡ２０００が含まれる。近距離無線通信網には、ＷＬＡＮ、赤外線、Ｂｌｕｅｔｏｏｔｈ（登録商標）、またはＺｉｇｂｅｅ（登録商標）が含まれる。
【０１４０】
任意選択で、前述の実施形態では、第２のネットワークがＷＬＡＮであるとき、第２のネットワークのアクセス・ポイントの識別子は、第２のネットワークのアクセス・ポイントのＢＳＳＩＤ、および第２のネットワークのアクセス・ポイントの媒体アクセス制御ＭＡＣレイヤ・アドレスのうちの１つまたは組合せを含む。明らかに、前述の組合せに基づいて、ＥＳＳＩＤをさらに含んでもよい。例えば、第２のネットワークのアクセス・ポイントの識別子は、第２のネットワークのアクセス・ポイントのＢＳＳＩＤ＋第２のネットワークのアクセス・ポイントのＥＳＳＩＤでもよい。
【０１４１】
前述の実施形態のＵＥを用いて、前述のモジュールを採用することによりアクセスを実施するための実施メカニズムは、前述の関連する方法の実施形態の実施メカニズムと同じものであり、詳細については、前述の関連する方法の実施形態の説明を参照することができ、ここでは再び説明しない。
【０１４２】
前述の実施形態によるＵＥを用いて、前述のモジュールを採用することによって、ＵＥがアクセスする最適な第２のネットワークのアクセス・ポイントを補助情報により選択することができ、ＵＥは、第２のネットワークのアクセス・ポイントに１つずつアクセスしようと試みる必要がない。したがって、アクセス遅延を効果的に短縮することができ、アクセス効率を向上させ、それによってオフローディングを効果的に実行することができる。
【０１４３】
図８は、本発明の一実施形態で提供されるネットワーク側装置の概略構造図である。図８に示すように、この実施形態のネットワーク側装置は、特に、取得モジュール２０と、生成モジュール２１と、送信モジュール２２とを含んでもよい。
【０１４４】
取得モジュール２０は、第２のネットワークのアクセス・ポイントの識別子に対応する第２のネットワークのアクセス・ポイントが、ＵＥが現在位置している第１のネットワーク上でエア・インタフェースのオフローディングを行うことができる、第２のネットワークのアクセス・ポイントの識別子を取得するように構成される。生成モジュール２１は、取得モジュール２０に接続されており、生成モジュール２１は、第２のネットワークのアクセス・ポイントの取得した識別子に従って、取得モジュール２０によって取得された第２のネットワークのアクセス・ポイントの識別子を伝える第１のメッセージを生成するように構成される。送信モジュール２２は、生成モジュール２１に接続されており、送信モジュール２２は、生成モジュール２１によって生成された第１のメッセージが複数の第２のネットワークのアクセス・ポイントの識別子を伝えるとき、ＵＥが、第１の補助情報に従って複数の第２のネットワークのアクセス・ポイントの識別子から１つの第２のネットワークのアクセス・ポイントの識別子を選択し、選択したネットワークのアクセス・ポイントにアクセスするために、生成モジュール２１によって生成された第１のメッセージをＵＥに送信するように構成される。
【０１４５】
この実施形態のネットワーク側装置を用いて、前述のモジュールを採用することによりアクセスを実施するための実施メカニズムは、前述の関連する方法の実施形態の実施メカニズムと同じものであり、詳細については、前述の関連する方法の実施形態の説明を参照することができ、ここでは再び説明しない。
【０１４６】
この実施形態によるネットワーク側装置を用いて、前述のモジュールを採用することにより、第２のネットワークのアクセス・ポイントの識別子を取得することができ、第２のネットワークのアクセス・ポイントの取得した識別子に従って、第２のネットワークのアクセス・ポイントの識別子を伝える第１のメッセージが生成される。第１のメッセージが複数の第２のネットワークのアクセス・ポイントの識別子を伝えるとき、ＵＥが、第１の補助情報に従って複数の第２のネットワークのアクセス・ポイントの識別子から１つの第２のネットワークのアクセス・ポイントの識別子を選択し、選択した第２のネットワークのアクセス・ポイントにアクセスするために、第１のメッセージはＵＥに送信される。この実施形態の技術的解決法を用いて、ＵＥは、第１の補助情報に従って、アクセスする複数の第２のネットワークのアクセス・ポイントの識別子から１つの第２のネットワークのアクセス・ポイントの識別子を選択することができ、ＵＥは、第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【０１４７】
任意選択で、図８に示す実施形態に基づいて、次の拡張された技術的解決法をさらに含んで、図８に示す実施形態の拡張された実施形態を形成してもよい。
【０１４８】
図８に示す実施形態の拡張された実施形態では、第１のメッセージが、複数の第２のネットワークのアクセス・ポイントの識別子を伝えるとき、特に、取得モジュール２０は、複数の第２のネットワークのアクセス・ポイントの識別子を取得してもよく、生成モジュール２１は、特に、第１のメッセージが複数の第２のネットワークのアクセス・ポイントの識別子を伝えるとき、各第２のネットワークのアクセス・ポイントの位置情報および／または各第２のネットワークのアクセス・ポイントの負荷情報に従って、取得した第２のネットワークのアクセス・ポイントをスクリーニングし、取得モジュール２０によって取得された複数の第２のネットワークのアクセス・ポイントの識別子を伝える第１のメッセージを生成するように構成される。
【０１４９】
任意選択で、図８に示す実施形態に基づいて、生成モジュール２１は、特に、第１のメッセージが複数の第２のネットワークのアクセス・ポイントの識別子を伝えるとき、取得モジュール２０によって取得されるすべての第２のネットワークのアクセス・ポイントの識別子を伝える第１のメッセージを直接的に生成するように構成される。
【０１５０】
任意選択で、図８に示す実施形態に基づいて、送信モジュール２２は、第１のメッセージが、１つの第２のネットワークのアクセス・ポイントの識別子のみを含むとき、ＵＥが、この１つの第２のネットワークのアクセス・ポイントの識別子に対応する第２のネットワークのアクセス・ポイントにアクセスするために、この１つの第２のネットワークのアクセス・ポイントの識別子を伝える第１のメッセージをＵＥに送信するようにさらに構成される。
【０１５１】
任意選択で、図８に示す実施形態に基づいて、ネットワーク側装置は、受信モジュールをさらに含む。受信モジュールは、ＵＥによって送信され、ＵＥの位置情報および／または各第２のネットワークのアクセス・ポイントの信号品質情報を伝える第２のメッセージを受信するように構成される。このとき、これに対応して、生成モジュール２１は、第１のメッセージが１つの第２のネットワークのアクセス・ポイントの識別子のみを含むとき、ＵＥの位置情報および／または受信モジュールによって受信される各第２のネットワークのアクセス・ポイントの信号品質情報、ならびに各第２のネットワークのアクセス・ポイントの位置情報および／または各第２のネットワークのアクセス・ポイントの負荷情報に従って、取得モジュール２０によって取得された複数の第２のネットワークのアクセス・ポイントをスクリーニングし、第２のネットワークのアクセス・ポイントの識別子のみを伝える第１のメッセージを生成するように構成される。
【０１５２】
任意選択で、前述の実施形態に基づいて、第１のネットワークは３ＧＰＰ移動通信網であり、第２のネットワークは非３ＧＰＰ移動通信網である、または、第１のネットワークは非３ＧＰＰ移動通信網であり、第２のネットワークは近距離無線通信網である、または、第１のネットワークは３ＧＰＰ移動通信網であり、第２のネットワークは近距離無線通信網である。
【０１５３】
任意選択で、前述の実施形態に基づいて、３ＧＰＰ移動通信網には、ＧＳＭ（登録商標）、ＷＣＤＭＡ（登録商標）、ＴＤ−ＳＣＤＭＡ、またはＬＴＥ網が含まれる。非３ＧＰＰ移動通信網には、ＷＩＭＡＸまたはＣＤＭＡ２０００が含まれる。近距離無線通信網には、ＷＬＡＮ、赤外線、Ｂｌｕｅｔｏｏｔｈ（登録商標）、またはＺｉｇｂｅｅ（登録商標）が含まれる。
【０１５４】
任意選択で、前述の実施形態に基づいて、第２のネットワークがＷＬＡＮであるとき、第２のネットワークのアクセス・ポイントの識別子には、第２のネットワークのアクセス・ポイントの基本サービス・セット識別子ＢＳＳＩＤおよび／または第２のネットワークのアクセス・ポイントの媒体アクセス制御ＭＡＣレイヤ・アドレスが含まれる。明らかに、前述の組合せに基づいて、ＥＳＳＩＤがさらに含まれてもよい。例えば、第２のネットワークのアクセス・ポイントの識別子は、第２のネットワークのアクセス・ポイントのＢＳＳＩＤ＋第２のネットワークのアクセス・ポイントのＥＳＳＩＤでもよい。
【０１５５】
任意選択で、前述の実施形態に基づいて、この実施形態のネットワーク側装置は、確立モジュールをさらに含む。受信モジュールはさらに、第２のネットワークのアクセス・ポイントによって送信された登録情報を受信するように構成され、登録情報は、第２のネットワークのアクセス・ポイントの識別子を含む。確立モジュールは、受信モジュールに接続され、確立モジュールは、受信モジュールによって受信された第２のネットワークのアクセス・ポイントの識別子と第１のネットワークとの間のマッピングを確立するように構成される。このとき、これに対応して、取得モジュールは確立モジュールに接続され、取得モジュール２０は、第２のネットワークのアクセス・ポイントの識別子と第１のネットワークとの間のマッピングから第２のネットワークのアクセス・ポイントの識別子を取得するように構成され、マッピングは、確立モジュールによって確立される。
【０１５６】
前述の実施形態のネットワーク側装置を用いて、前述のモジュールを採用することによりアクセスを実施するための実施メカニズムは、前述の関連する方法の実施形態の実施メカニズムと同じものであり、詳細については、前述の関連する方法の実施形態の説明を参照することができ、ここでは再び説明しない。
【０１５７】
前述の実施形態によるネットワーク側装置を用いて、前述のモジュールを採用することによって、複数の第２のネットワークのアクセス・ポイントから、ＵＥがアクセスする１つの第２のネットワークのアクセス・ポイントを選択することができ、ＵＥは、第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【０１５８】
図９は、本発明の一実施形態で提供されるアクセス・システムの概略構造図である。図９に示すように、この実施形態のアクセス・システムは、ＵＥ３０と、ネットワーク側装置４０とを含む。
【０１５９】
ＵＥ３０は、特に、図７に示す実施形態を採用してもよく、ネットワーク側装置４０は、図８に示す実施形態のネットワーク側装置を採用してもよい。またはＵＥ３０は、特に、図７に示す実施形態の拡張された実施形態のＵＥを採用してもよく、ネットワーク側装置４０は、図８に示す実施形態の拡張された実施形態のネットワーク側装置を採用してもよい。アクセスは、前述の関連する方法の実施形態の関連する方法の実施メカニズムを採用することによって実行され、詳細については、前述の関連する実施形態の説明を参照することができ、ここでは再び説明しない。
【０１６０】
この実施形態によるアクセス・システムを用いて、前述のＵＥおよびネットワーク側装置を採用することによって、複数の第２のネットワークのアクセス・ポイントから、ＵＥがアクセスする１つの第２のネットワークのアクセス・ポイントを選択することができ、ＵＥは、第２のネットワークのアクセス・ポイントに１つずつアクセスしようと試みる必要がなく、これによりアクセス遅延を効果的に短縮することができ、アクセス効率を向上させ、それによってオフローディングを効果的に実行することができる。
【０１６１】
本発明の前述の実施形態のネットワーク側装置は、特にＲＡＮデバイス、コア・ネットワーク側のデバイス、またはパケット・データ・ネットワーク側のデバイスでもよい。例えば、ＲＡＮデバイスは、２Ｇ無線アクセス網、３Ｇ無線アクセス網、４Ｇ無線アクセス網、および将来の無線アクセス網のＲＡＮデバイスでもよい。本発明の前述の実施形態では、第２のネットワークのアクセス・ポイントは、８０２．１１ａ、８０２．１１ｃ、８０２．１１ｇ、８０２．１１ａｃ、および８０２．１１ａｇのような、ＷＬＡＮ技術のＡＰデバイスでもよい。
【０１６２】
前述の装置の実施形態は、例示にすぎない。分かれた部分として説明するユニットは、物理的に分かれていてもよく、または物理的に分かれていなくてもよく、ユニットとして表示される部分は、物理的なユニットでもよく、または物理的なユニットでなくてもよく、１つの位置に配置されてもよく、または少なくとも２つのネットワーク要素に分散されてもよい。実施形態の解決法の目的を達成するための実際の必要性に従って、モジュールの一部または全部を選択してもよい。当業者は、創造的な努力なしに諸実施形態を理解し、実施することができる。
【０１６３】
最後に、上記の実施形態は、本発明を限定するものではなく、単に本発明の技術的解決法を説明することを目的としていることに注意すべきである。前述の実施形態を参照して本発明を詳細に説明しているが、前述の実施形態で説明する技術的解決法の変形物、または技術的解決法の技術的特徴の一部に対する均等な代替物が、対応する技術的解決法の本質を本発明の諸実施形態の技術的解決法の範囲から逸脱させない限り、こうした変形物または代替物を当業者がさらに作成できることを、当業者は理解するはずである。
【図１】
0006017582.tif 000002
【図２】
0006017582.tif 000003
【図３】
0006017582.tif 000004
【図４】
0006017582.tif 000005
【図５】
0006017582.tif 000006
【図６】
0006017582.tif 000007
【図７】
0006017582.tif 000008
【図８】
0006017582.tif 000009
【図９】
0006017582.tif 000010